(57)【要約】【課題】事物に対してユーザーが感じた感覚を相手ユーザーに容易に伝達することができるコミュニケーションサーバ及びコミュニケーション方法を提供すること。【解決手段】コミュニケーション方法は、Ｗｅｂ上から収集されたテキストデータを取得するテキストデータ取得ステップと、取得されたテキストデータに出現する事物単語と、事物単語と共起の関係にある感覚用語とを共起度に応じて関連付けた感覚辞書を生成するステップと、クライアント端末から入力されたテキストデータから、事物単語を抽出するステップと、生成された感覚辞書に基づき、抽出された事物単語と共起の関係にある感覚用語を決定するステップと、クライアント端末から入力されたテキストデータと決定された感覚用語とをクライアント端末とコミュニケーションを行う他のクライアント端末に送信するステップと、を備える。【選択図】図１
2010277193.tif 000002
【特許請求の範囲】
【請求項１】
複数のクライアント端末における会話型コミュニケーションを実現するコミュニケーションサーバであって、
Ｗｅｂ上から収集されたテキストデータを取得するテキストデータ取得手段と、
前記テキストデータ取得手段により取得された前記テキストデータに出現する事物を表す事物単語と、前記事物単語と共起の関係にある用語であって人間が感じる感覚を表す感覚用語と、を共起度に応じて関連付けた感覚辞書を生成する感覚辞書生成手段と、
クライアント端末から入力されたテキストデータから、前記事物単語を抽出する事物単語抽出手段と、
前記感覚辞書生成手段により生成された前記感覚辞書に基づき、前記事物単語抽出手段により抽出された前記事物単語と共起の関係にある前記感覚用語を決定する感覚用語決定手段と、
前記テキストデータと前記感覚用語決定手段により決定された前記感覚用語とを前記クライアント端末とコミュニケーションを行う他のクライアント端末に送信する送信手段と、
を備えたことを特徴とするコミュニケーションサーバ。
【請求項２】
前記クライアント端末から接続詞が入力されたことを判別する接続詞判別手段と、
前記クライアント端末において表示する前記感覚用語の表示を消去する感覚用語消去手段と、を備え、
前記感覚用語消去手段は、前記接続詞判別手段により接続詞が入力されたと判別されたことを条件に、前記クライアント端末において表示する前記感覚用語の表示を消去し、
前記事物単語抽出手段は、前記感覚用語消去手段により前記クライアント端末において表示する前記感覚用語が消去されたことを条件に、前記クライアント端末から再度テキストデータの入力が行われた場合には、前記クライアント端末から入力された前記テキストデータから、前記事物単語を抽出することを特徴とする請求項１に記載のコミュニケーションサーバ。
【請求項３】
前記クライアント端末からのテキストデータの入力が中断してからの時間を計測する計測手段と、
前記クライアント端末において表示する前記感覚用語を消去する感覚用語消去手段と、を備え、
前記感覚用語消去手段は、前記計測手段により所定の時間が計測されたことを条件に、前記クライアント端末において表示する前記感覚用語を消去し、
前記事物単語抽出手段は、前記感覚用語消去手段により前記クライアント端末において表示する前記感覚用語が消去されたことを条件に、前記クライアント端末から再度テキストデータの入力が行われた場合には、前記クライアント端末から入力された前記テキストデータから、前記事物単語を抽出することを特徴とする請求項１に記載のコミュニケーションサーバ。
【請求項４】
前記送信手段は、前記テキストデータと前記感覚用語決定手段により決定された前記感覚用語とを前記他のクライアント端末に送信するとともに、前記感覚用語決定手段により決定された前記感覚用語を前記クライアント端末に送信することを特徴とする請求項１乃至３に記載のコミュニケーションサーバ。
【請求項５】
前記コミュニケーションサーバにより送信されるテキストデータは、前記クライアント端末を介してユーザにより入力された音声データに対応して変換されたテキストデータであり、
前記送信手段は、前記音声データと、前記感覚用語決定手段により決定された感覚用語の音声データと、を前記他のクライアント端末に送信することを特徴とする請求項１に記載のコミュニケーションサーバ。
【請求項６】
前記感覚用語は、嗅覚、触覚又は味覚に関する心的現象を表す形容詞であることを特徴とする請求項１乃至５に記載のコミュニケーションサーバ。
【請求項７】
送信側クライアント端末と受信側クライアント端末とを含む複数のクライアント端末における会話型コミュニケーションをコミュニケーションサーバを介して実現するコミュニケーションシステムであって、
前記送信側クライアント端末は、
ユーザーからのテキストデータの入力を受け付ける入力手段と、
前記入力手段により入力された前記テキストデータを前記コミュニケーションサーバに送信するテキストデータ送信手段と、を備え、
前記コミュニケーションサーバは、
Ｗｅｂ上から収集されたテキストデータを取得するテキストデータ取得手段と、
前記テキストデータ取得手段により取得された前記テキストデータに出現する事物を表す事物単語と、前記事物単語と共起の関係にある用語であって人間が感じる感覚を表す感覚用語と、を共起度に応じて関連付けた感覚辞書を生成する感覚辞書生成手段と、
前記送信側クライアント端末の前記テキストデータ送信手段から送信された前記テキストデータから、前記事物単語を抽出する事物単語抽出手段と、前記事物単語抽出手段により前記事物単語が抽出されたことに応じて、前記感覚辞書に含まれる感覚用語であって前記事物単語と共起の関係にあるものを決定する感覚用語決定手段と、
前記テキストデータ送信手段により送信された前記テキストデータと前記感覚用語決定手段により決定された前記感覚用語とを前記送信側クライアント端末とコミュニケーションを行う他のクライアント端末に送信する送信手段と、を備え、
前記受信側クライアント端末は、
前記コミュニケーションサーバから送信された前記テキストデータと前記感覚用語とを受信する受信手段と、
前記受信手段により受信した前記テキストデータと前記感覚用語とを表示する表示手段と、を備えたことを特徴とするコミュニケーションシステム。
【請求項８】
複数のクライアント端末における会話型コミュニケーションを実現するコミュニケーション方法であって、
Ｗｅｂ上から収集されたテキストデータを取得するテキストデータ取得ステップと、
前記テキストデータ取得ステップにより取得された前記テキストデータに出現する事物を表す事物単語と、前記事物単語と共起の関係にある用語であって人間が感じる感覚を表す感覚用語とを共起度に応じて関連付けた感覚辞書を生成する感覚辞書生成ステップと、
クライアント端末から入力されたテキストデータから、前記事物単語を抽出する事物単語抽出ステップと、
前記感覚辞書生成ステップにより生成された前記感覚辞書に基づき、前記事物単語抽出ステップにより抽出された前記事物単語と共起の関係にある前記感覚用語を決定する感覚用語決定ステップと、
前記テキストデータと前記感覚用語決定ステップにより決定された前記感覚用語とを前記クライアント端末とコミュニケーションを行う他のクライアント端末に送信する送信ステップと、
を備えたことを特徴とするコミュニケーション方法。
【発明の詳細な説明】
【技術分野】
【０００１】
本発明は、複数のクライアント端末における会話型コミュニケーションを実現するコミュニケーションサーバ、コミュニケーションシステム、及びコミュニケーション方法に関する。
【背景技術】
【０００２】
従来、ネットワークを通じて他の端末装置との間で、ユーザから指示されたメッセージの送受信を行うことが可能なメッセンジャー機能を有する複数の端末装置が知られている。
【０００３】
このような状況において、例えば特許文献１には、ユーザーはこの端末装置にメッセージを入力することにより、他の端末装置を使用している相手ユーザーとメッセージの交換を行いコミュニケーションを図ることができる端末装置が提案されている。
【先行技術文献】
【特許文献】
【０００４】
【特許文献１】特開２００７−２７１６５５号公報
【発明の概要】
【発明が解決しようとする課題】
【０００５】
しかし、ユーザーは、端末装置にメッセージを入力することにより、他の端末装置を使用している相手ユーザーに対し種々の出来事や物などの事物を伝達することができるものの、その事物に対してユーザーが感じている感覚を伝達することは困難であった。
【０００６】
そこで本発明は、事物に対してユーザーが感じた感覚を相手ユーザーに容易に伝達することができるコミュニケーションサーバ、コミュニケーションシステム、及びコミュニケーション方法を提供することを目的とする。
【課題を解決するための手段】
【０００７】
（１）  複数のクライアント端末における会話型コミュニケーションを実現するコミュニケーションサーバであって、Ｗｅｂ上から収集されたテキストデータを取得するテキストデータ取得手段と、前記テキストデータ取得手段により取得された前記テキストデータに出現する事物を表す事物単語と、前記事物単語と共起の関係にある用語であって人間が感じる感覚を表す感覚用語と、を共起度に応じて関連付けた感覚辞書を生成する感覚辞書生成手段と、クライアント端末から入力されたテキストデータから、前記事物単語を抽出する事物単語抽出手段と、前記感覚辞書生成手段により生成された前記感覚辞書に基づき、前記事物単語抽出手段により抽出された前記事物単語と共起の関係にある前記感覚用語を決定する感覚用語決定手段と、前記テキストデータと前記感覚用語決定手段により決定された前記感覚用語とを前記クライアント端末とコミュニケーションを行う他のクライアント端末に送信する送信手段と、を備えたことを特徴とするコミュニケーションサーバ。
【０００８】
（１）のコミュニケーションサーバによれば、クライアント端末から入力されたテキストデータと、このテキストデータから抽出された事物単語と共起の関係にある感覚用語とが、このクライアント端末とコミュニケーションを行う他のクライアント端末に送信される。すなわち、ユーザーが伝達しようとしている事物に対して意味合いに関連性の高い感覚用語がテキストデータとともに相手ユーザーが使用しているクライアント端末に送信される。その結果、ユーザーがクライアント端末を介して入力する事物に関する事項に対してユーザーが感じた感覚を、当該コミュニケーションサーバを介して相手ユーザーに対して容易に伝達することができる。
【０００９】
また、ユーザーが伝達しようとする事物に対して、複数の感覚用語の中から今現在ブログやニュース配信サイトなどのＷｅｂ上において流行している感覚用語が決定することができる。その結果、ユーザーが伝達しようとしている事物単語と意味的に関連性が強く、かつ、現在の流行に対応した感覚を用いて相手ユーザーに伝達することができる。
【００１０】
また、事物単語に対して、共起度に応じて複数の感覚用語を決定することができる。その結果、例えば、ユーザーが伝達しようとする事物に対し、共起度が高い順に感覚用語を２つ決定して、その２つの感覚用語をテキストデータともに送信することで、その事物に対するより強い感覚を相手ユーザーに伝達することができる。
【００１１】
（２）  前記クライアント端末から接続詞が入力されたことを判別する接続詞判別手段と、前記クライアント端末において表示する前記感覚用語の表示を消去する感覚用語消去手段と、を備え、前記感覚用語消去手段は、前記接続詞判別手段により接続詞が入力されたと判別されたことを条件に、前記クライアント端末において表示する前記感覚用語の表示を消去し、前記事物単語抽出手段は、前記感覚用語消去手段により前記クライアント端末において表示する前記感覚用語が消去されたことを条件に、前記クライアント端末から再度テキストデータの入力が行われた場合には、前記クライアント端末から入力された前記テキストデータから、前記事物単語を抽出することを特徴とする（１）に記載のコミュニケーションサーバ。
【００１２】
（２）のコミュニケーションサーバによれば、ユーザーによりクライアント端末から接続詞が入力された場合には、クライアント端末において表示されている感覚用語の消去が行われる。そして、クライアント端末から再度テキストデータの入力が行われた場合には、再び事物単語の抽出が行われる。その結果、ユーザー間におけるチャットなどのテキストデータによる会話において、話の変わり目が生じた場合には、感覚用語が消去され再び抽出された事物単語に対する新しい感覚用語が決定される。したがって、話題に対応して新しい感覚用語が更新されて決定され、常に新しい感覚を相手ユーザーに伝達することができる。
【００１３】
（３）  前記クライアント端末からのテキストデータの入力が中断してからの時間を計測する計測手段と、前記クライアント端末において表示する前記感覚用語を消去する感覚用語消去手段と、を備え、前記感覚用語消去手段は、前記計測手段により所定の時間が計測されたことを条件に、前記クライアント端末において表示する前記感覚用語を消去し、前記事物単語抽出手段は、前記感覚用語消去手段により前記クライアント端末において表示する前記感覚用語が消去されたことを条件に、前記クライアント端末から再度テキストデータの入力が行われた場合には、前記クライアント端末から入力された前記テキストデータから、前記事物単語を抽出することを特徴とする（１）に記載のコミュニケーションサーバ。
【００１４】
（３）のコミュニケーションサーバによれば、ユーザーによりクライアント端末からの、テキストデータの入力が一定期間中断した場合には、クライアント端末において表示されている感覚用語の消去が行われる。そして、クライアント端末から再度テキストデータの入力が行われた場合には、感覚用語が消去され再び事物単語の抽出が行われる。その結果、ユーザー間におけるチャットなどのテキストデータによる会話において、話の中断が生じた場合には、再び抽出された事物単語に対する新しい感覚用語が決定される。したがって、話題が中断し、新しい話題の開始に対応して新しい感覚用語が更新されて決定され、常に新しい感覚を相手ユーザーに伝達することができる。
【００１５】
（４）  前記送信手段は、前記テキストデータと前記感覚用語決定手段により決定された前記感覚用語とを前記他のクライアント端末に送信するとともに、前記感覚用語決定手段により決定された前記感覚用語を前記クライアント端末に送信することを特徴とする（１）乃至（３）に記載のコミュニケーションサーバ。
【００１６】
（４）のコミュニケーションサーバによれば、テキストデータとともに決定された感覚用語が他のクライアント端末に送信されるとともに、決定された感覚用語がクライアント端末に送信される。したがって、その結果、ユーザーがクライアント端末を介して入力する事物に関する事項に対してユーザーが感じた感覚を、当該コミュニケーションサーバを介して他のクライアント端末を使用する相手ユーザーに対して容易に伝達することができるとともに、決定された感覚用語が、ユーザーが感じた感覚に対応するか否かをユーザー自身が確認することができる。
【００１７】
（５）  前記コミュニケーションサーバにより送信されるテキストデータは、前記クライアント端末を介してユーザにより入力された音声データに対応して変換されたテキストデータであり、前記送信手段は、前記音声データと、前記感覚用語決定手段により決定された感覚用語の音声データと、を前記他のクライアント端末に送信することを特徴とする（１）に記載のコミュニケーションサーバ。
【００１８】
（５）のコミュニケーションサーバによれば、ユーザーがクライアント端末を介して入力した音声データとともに決定された感覚用語を他のクライアント端末に送信することができる。したがって、電話機や音声チャットに用いられるパソコンなどのクライアント端末から入力された音声を、ユーザーが感じている感覚を相手ユーザーが利用している他のクライアント端末において発音することができる。その結果、ユーザーが発音した音声に対してユーザーが感じた感覚を、当該コミュニケーションサーバを介して他のクライアント端末を使用する相手ユーザーに対して容易に伝達することができる。
【００１９】
（６）  前記感覚用語は、嗅覚、触覚又は味覚に関する心的現象を表す形容詞であることを特徴とする（１）乃至（５）に記載のコミュニケーションサーバ。
【００２０】
（６）のコミュニケーションサーバによれば、テキストデータだけでは伝達することが特に困難な感覚である嗅覚、触覚及び味覚を、相手ユーザーに伝達することができる。
【００２１】
（７）  送信側クライアント端末と受信側クライアント端末とを含む複数のクライアント端末における会話型コミュニケーションをコミュニケーションサーバを介して実現するコミュニケーションシステムであって、前記送信側クライアント端末は、ユーザーからのテキストデータの入力を受け付ける入力手段と、前記入力手段により入力された前記テキストデータを前記コミュニケーションサーバに送信するテキストデータ送信手段と、を備え、前記コミュニケーションサーバは、Ｗｅｂ上から収集されたテキストデータを取得するテキストデータ取得手段と、前記テキストデータ取得手段により取得された前記テキストデータに出現する事物を表す事物単語と、前記事物単語と共起の関係にある用語であって人間が感じる感覚を表す感覚用語と、を共起度に応じて関連付けた感覚辞書を生成する感覚辞書生成手段と、前記送信側クライアント端末の前記テキストデータ送信手段から送信された前記テキストデータから、前記事物単語を抽出する事物単語抽出手段と、前記事物単語抽出手段により前記事物単語が抽出されたことに応じて、前記感覚辞書に含まれる感覚用語であって前記事物単語と共起の関係にあるものを決定する感覚用語決定手段と、前記テキストデータ送信手段により送信された前記テキストデータと前記感覚用語決定手段により決定された前記感覚用語とを前記送信側クライアント端末とコミュニケーションを行う他のクライアント端末に送信する送信手段と、を備え、前記受信側クライアント端末は、前記コミュニケーションサーバから送信された前記テキストデータと前記感覚用語とを受信する受信手段と、前記受信手段により受信した前記テキストデータと前記感覚用語とを表示する表示手段と、を備えたことを特徴とするコミュニケーションシステム。
【００２２】
（７）のコミュニケーションシステムによれば、送信側クライアント端末の入力手段を介して入力されたテキストデータと、このテキストデータから抽出された事物単語と共起の関係にある感覚用語とが、このクライアント端末とコミュニケーションを行う受信側クライアント端末に送信される。そして、受信側クライアント端末は、送信されたテキストデータと決定された感覚用語とを表示手段において表示する。すなわち、ユーザーが伝達しようとしている事物に対して意味合いに関連性の高い感覚用語がテキストデータとともに相手ユーザーが使用している受信側クライアント端末に送信され、テキストデータとともに感覚用語が表示される。その結果、ユーザーがクライアント端末を介して入力する事物に関する事項に対してユーザーが感じた感覚を、当該コミュニケーションシステムを介して相手ユーザーに対して容易に伝達することができる。
【００２３】
（８）  複数のクライアント端末における会話型コミュニケーションを実現するコミュニケーション方法であって、Ｗｅｂ上から収集されたテキストデータを取得するテキストデータ取得ステップと、前記テキストデータ取得ステップにより取得された前記テキストデータに出現する事物を表す事物単語と、前記事物単語と共起の関係にある用語であって人間が感じる感覚を表す感覚用語とを共起度に応じて関連付けた感覚辞書を生成する感覚辞書生成ステップと、クライアント端末から入力されたテキストデータから、前記事物単語を抽出する事物単語抽出ステップと、前記感覚辞書生成ステップにより生成された前記感覚辞書に基づき、前記事物単語抽出ステップにより抽出された前記事物単語と共起の関係にある前記感覚用語を決定する感覚用語決定ステップと、前記テキストデータと前記感覚用語決定ステップにより決定された前記感覚用語とを前記クライアント端末とコミュニケーションを行う他のクライアント端末に送信する送信ステップと、を備えたことを特徴とするコミュニケーション方法。
【００２４】
（８）のコミュニケーション方法によれば、クライアント端末から入力されたテキストデータと、このテキストデータから抽出された事物単語と共起の関係にある感覚用語とが、このクライアント端末とコミュニケーションを行う他のクライアント端末に送信される。すなわち、ユーザーが伝達しようとしている事物に対して意味合いに関連性の高い感覚用語がテキストデータとともに相手ユーザーが使用しているクライアント端末に送信される。その結果、ユーザーがクライアント端末を介して入力する事物に関する事項に対してユーザーが感じた感覚を、当該コミュニケーションサーバを介して相手ユーザーに対して容易に伝達することができる。
【発明の効果】
【００２５】
本発明によれば、事物に対してユーザーが感じた感覚を相手ユーザーに容易に伝達することができる。
【図面の簡単な説明】
【００２６】
【図１】本実施形態のコミュニケーション方法を実現するためのコミュニケーションシステムの構成例を示す図である。
【図２】上記実施形態の事物単語ＤＢを示す図である。
【図３】上記実施形態の感覚用語ＤＢを示す図である。
【図４】上記実施形態の感覚辞書ＤＢを示す図である。
【図５】上記コミュニケーションシステムを構成するブログサーバ、コミュニケーションサーバ、クライアント端末のハードウェア構成を示す図である。
【図６】上記実施形態のコミュニケーション方法の処理を示すフローチャートである。
【図７】上記実施形態におけるメッセージの表示例を示す図である。
【発明を実施するための形態】
【００２７】
本発明のコミュニケーション方法は、送信側クライアント端末から入力されたメッセージのテキストデータと感覚用語とを受信側クライアント端末に送信し、メッセージに含まれる事物に対してユーザーが感じた感覚を相手ユーザーに容易に伝達するものであるところ、以下では、本発明のコミュニケーション方法を実現するために好適なコミュニケーションシステム１について図１〜図７を参照しながら説明する。
【００２８】
［コミュニケーションシステム１の構成例］
コミュニケーションシステム１は、ブログサーバ１０、コミュニケーションサーバ２０、送信側クライアント端末４０、受信側クライアント端末５０により構成される。
【００２９】
ブログサーバ１０は、ブログ配信手段１１により構成される。コミュニケーションサーバ２０は、テキストデータ取得手段２１，感覚辞書生成手段２２、事物単語抽出手段２３、感覚用語決定手段２４、送信手段２５、事物単語データベース（ＤＢ）３０、感覚用語データベース（ＤＢ）３１、感覚辞書データベース（ＤＢ）３２により構成される。送信側クライアント端末４０は、入力手段４１、テキストデータ送信手段４２により構成される。受信側クライアント端末５０は、受信手段５１、表示手段５２により構成される。
【００３０】
ブログサーバ１０は、ブログ配信手段１１を介してインターネット回線を通じて、ブログの書き込み記事を配信する。ここで、ブログの書き込み記事とは、個人や複数人のグループで運営される日記形式のテキストデータにより構成された記事である。
【００３１】
コミュニケーションサーバ２０のテキストデータ取得手段２１は、インターネット回線を通じて、ブログサーバ１０のブログ配信手段１１から配信されたブログ記事のテキストデータを取得する。ブログ記事のテキストデータの取得は、例えば、クローラーなどと呼ばれる自動的に各サーバを巡回してコンテンツを収集するソフトウェアを実行することにより実現する。なお、テキストデータの取得は、ブログサーバ１０により配信されるブログ記事には限られない。例えば、このブログサーバ１０の代わりに、ＳＮＳの書き込み記事が格納されたＳＮＳサーバにより配信されるコンテンツや、ニュース配信サイトなどのニュースサーバにより配信されるテキストデータのコンテンツであってもよい。また、テキストデータの取得は、インターネット回線を通じたものに限られない。例えば、ＰＡＮ（Ｐｅｒｓｏｎａｌ  Ａｒｅａ  Ｎｅｔｗｏｒｋ）、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク回線を通じてテキストデータの取得を行ってもよい。
【００３２】
感覚辞書生成手段２２は、テキストデータ取得手段２１により取得されたテキストデータに出現する事物を表す事物単語と、この事物単語と共起の関係にある用語であって人間が感じる感覚を表す言葉、すなわち、人体の感覚器が受けたときに経験する心的現象を表す感覚用語と、を共起度に応じて関連付けた感覚辞書ＤＢ３２の生成を行う。具体的には、事物単語ＤＢ３０に格納されている事物単語と、感覚用語ＤＢ３１に格納されている感覚用語とを参照して、テキストデータ取得手段により取得したテキストを形態素解析し、品詞に分類して、事物単語と感覚単語とを抽出する。そして、抽出された事物単語と、感覚用語との共起ヒット情報を共起度として計算して、事物単語と感覚用語との対応付け及び、事物単語とそれに対応する各感覚用語との共起度を感覚辞書ＤＢ３２に格納し、感覚辞書ＤＢ３２の生成を行う。
【００３３】
送信側クライアント端末４０の入力手段４１は、ユーザーによるテキストデータの入力の受け付けを行うものである。テキストデータ送信手段４２は、入力手段４１を介して入力されたテキストデータをコミュニケーションサーバ２０に送信するものである。
【００３４】
コミュニケーションサーバ２０の事物単語抽出手段２３は、事物単語ＤＢ３０を参照して、送信側クライアント端末４０から入力手段４１を介して入力されたテキストデータから、事物単語の抽出を行う。具体的には、事物単語ＤＢ３０に格納されている事物単語を参照して、送信側クライアント端末４０から入力されたテキストを形態素解析し、品詞に分類して事物単語の抽出を行う。
【００３５】
感覚用語決定手段２４は、感覚辞書生成手段２２により生成された感覚辞書ＤＢ３２に基づき、事物単語抽出手段２３により抽出された事物単語と共起の関係にある感覚用語の決定を行う。具体的には、感覚辞書ＤＢ３２を参照して、抽出された事物単語に対応する複数の感覚用語のうち共起度が一番高い感覚用語を決定する。なお、この場合、事物単語に対応する複数の感覚用語のうち共起度の高い順に２つ、若しくはそれ以上の複数の感覚用語を決定してもよい。
【００３６】
送信手段２５は、送信側クライアント端末４０から入力されたテキストデータと、感覚用語決定手段２４により決定された感覚用語とを受信側クライアント端末５０に送信する。具体的には、送信側クライアント端末４０から入力されたテキストデータとともに、感覚用語決定手段２４により決定された感覚用語を受信側クライアント端末５０に送信する。なお、この場合、送信側クライアント端末４０から入力されたテキストデータに対し、感覚用語決定手段２４により決定された感覚用語に対応するデータを付加して関連付けて、テキストデータごと受信側クライアント端末５０に送信してもよい。また、感覚用語決定手段２４により複数の感覚用語が決定された場合には、決定された複数の感覚用語をテキストデータとともに送信してもよい。
【００３７】
受信側クライアント端末５０の受信手段５１は、インターネット回線を通じて、コミュニケーションサーバ２０から送信された、送信側クライアント端末４０から入力されたテキストデータと、決定された感覚用語との受信を行う。表示手段は、受信手段５１が受信したテキストデータに対応するテキストを、後で図７を参照して説明するチャットウィンドウ１００において表示するとともに、決定された感覚用語を、チャットウィンドウ１００において表示されたテキストとともに表示する。具体的には、受信側クライアント端末５０の表示装置において表示されているチャットウィンドウ１００内において、送信側クライアント端末４０から入力されたメッセージのテキストを表示するとともに、この表示されたテキストデータに対応する感覚用語を一緒に表示する。なお、この場合、送信手段２５により複数の感覚用語が送信された場合には、送信された複数の感覚用語を表示する。
【００３８】
［事物単語ＤＢ］
図２を参照して、事物単語ＤＢ３０について説明する。事物単語ＤＢ３０は、事物単語Ｎｏ．毎に、事物を表す事物単語が記憶される。事物単語Ｎｏ．は、事物単語を一意に識別するために用いられる。事物単語は、文中で主語や目的語などとして働くモノを表す名詞により構成される単語である。
【００３９】
［感覚用語ＤＢ］
図３を参照して、感覚用語ＤＢ３１について説明する。感覚用語ＤＢ３１は、感覚用語Ｎｏ．毎に、人間が感じる感覚を表す感覚用語が記憶される。感覚用語Ｎｏ．は、感覚用語を一意に識別するために用いられる。感覚用語は、人体の五感により感ずる形容詞により構成され、特に、嗅覚、触覚又は味覚など、事物の性質・状態・心情などを表し、文中で、名詞を修飾する形容詞により構成される用語である。
【００４０】
［感覚辞書ＤＢ］
図４を参照して、感覚辞書ＤＢ３２について説明する。感覚辞書ＤＢ３２は、事物単語毎に、この事物単語に対応する複数の感覚用語及び、この事物単語に対応する各感覚用語の共起度、が記憶される。共起度とは、事物単語に対する感覚用語の意味合いに関連性の高さを規定する情報である。例えば、この共起度は、テキストデータ取得手段２１により取得されたテキストデータにおいて、事物単語に対応して出現する感覚用語の回数に応じて決定される。
【００４１】
［ブログサーバ１０、コミュニケーションサーバ２０、送信側クライアント端末４０、受信側クライアント端末５０のハードウェア構成］
図５は、コミュニケーションサーバ２０のハードウェア構成を示す図である。本発明が実施される装置は標準的なものでよく、以下に構成の一例を示す。なお、詳細な説明は省略するが、ブログサーバ１０、送信側クライアント端末４０、受信側クライアント端末５０もコミュニケーションサーバ２０と同様のハードウェア構成を有している。
【００４２】
コミュニケーションサーバ２０は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０など複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボード及びマウスなどの入力装置１３８０、ハードディスク１３９０、光ディスクドライブ１４００、並びに半導体メモリ１４２０を備える。なお、ハードディスク１３９０、光ディスクドライブ１４００、並びに半導体メモリ１４２０はまとめて記憶装置１４３０と呼ぶ。
【００４３】
制御部１３００は、コミュニケーションサーバ２０を統括的に制御する部分であり、ハードディスク１３９０（後述）に記憶された各種プログラムを適宜読み出して実行することにより、上述したハードウェアと協働し、本発明に係る各種機能を実現している。
【００４４】
通信Ｉ／Ｆ１３３０は、コミュニケーションサーバ２０が、ネットワークを介してブログサーバ１０、送信側クライアント端末４０、並びに受信側クライアント端末５０などと情報を送受信する場合のネットワーク・アダプタである。通信Ｉ／Ｆ１３３０は、モデム、ケーブル・モデム及びイーサネット（登録商標）・アダプタを含んでよい。なお、コミュニケーションサーバ２０の送信手段２５、送信側クライアント端末４０のテキストデータ送信手段４２、及び受信側クライアント端末５０の受信手段５１は、通信Ｉ／Ｆ１３３０により実現される。
【００４５】
ＢＩＯＳ１３５０は、コミュニケーションサーバ２０の起動時にＣＰＵ１３１０が実行するブートプログラムや、コミュニケーションサーバ２０のハードウェアに依存するプログラムなどを記録する。
【００４６】
表示装置１３６０は、ブラウン管表示装置（ＣＲＴ）、液晶表示装置（ＬＣＤ）などのディスプレイ装置を含む。なお、受信側クライアント端末５０の表示手段５２は、表示装置１３６０により実現される。
【００４７】
Ｉ／Ｏコントローラ１３７０には、ハードディスク１３９０、光ディスクドライブ１４００、及び半導体メモリ１４２０などの記憶装置１４３０を接続することができる。
【００４８】
入力装置１３８０は、送信側クライアント端末４０のユーザによる入力の受け付けを行うものである。なお、送信側クライアント端末４０の入力手段４１は、入力装置１３８０により実現される。
【００４９】
ハードディスク１３９０は、本ハードウェアをコミュニケーションサーバ２０として機能させるための各種プログラム、本発明の機能を実行するプログラム及び前述したテーブル及びレコードを記憶する。なお、コミュニケーションサーバ２０は、外部に別途設けたハードディスク（図示せず）を外部記憶装置として利用することもできる。
【００５０】
光ディスクドライブ１４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１４１０を使用する。光ディスク１４１０から光ディスクドライブ１４００によりプログラム又はデータを読み取り、Ｉ／Ｏコントローラ１３７０を介してメインメモリ１３４０又はハードディスク１３９０に提供することもできる。
【００５１】
なお、本発明でいうコンピュータとは、記憶装置、制御部などを備えた端末をいい、コミュニケーションサーバ２０は、記憶装置１４３０、制御部１３００などを備えた端末により構成され、この端末は、本発明のコンピュータの概念に含まれる。
【００５２】
コミュニケーションサーバ２０の各手段は、制御部１３００によってプログラムが実行されることで実現される。但し、データ記憶部は、主としてハードディスク１３９０に実装されるが、既に述べたように、他の記憶装置を用いてもよい。
【００５３】
［処理フロー］
図６は、本実施形態のコミュニケーション方法を実現するための処理の流れを示すフローチャートである。
【００５４】
Ｓ１：不特定ユーザーによりブログの書き込みが行われた場合には、ブログサーバ１０の制御部１３００（ブログ配信手段１１）は、通信Ｉ／Ｆ１３３０を介して、書き込まれたブログの書き込み記事を配信する。
【００５５】
Ｓ２：ブログサーバ１０によりブログの書き込み記事の配信が行われると、コミュニケーションサーバ２０の制御部１３００（テキストデータ取得手段２１）は、配信されたブログ記事のテキストデータを取得する。
【００５６】
Ｓ３：続いて、コミュニケーションサーバ２０の制御部１３００（感覚辞書生成手段２２）は、事物単語ＤＢ３０及び感覚用語ＤＢ３１を参照して、事物単語と感覚用語との対応付け及び、事物単語とそれに対応する各感覚用語との共起度を感覚辞書ＤＢ３２に格納し感覚辞書ＤＢ３２を生成する。
【００５７】
Ｓ４：次に、送信側クライアント端末４０の制御部１３００は、送信側クライアント端末４０の入力装置１３８０（入力手段４１）を介して、ユーザーからのメッセージの入力を受け付ける。
【００５８】
Ｓ５：続いて、送信側クライアント端末４０の制御部１３００は、ユーザーからのメッセージの入力を受け付けた場合には、送信側クライアント端末４０の通信Ｉ／Ｆ１３３０（テキストデータ送信手段４２）を介して、入力されたメッセージを送信する。
【００５９】
Ｓ６：次に、コミュニケーションサーバ２０の制御部１３００（メッセージ受信手段）は、送信側クライアント端末４０から送信されたメッセージをコミュニケーションサーバ２０の通信Ｉ／Ｆ１３３０で受信したか否かを判別する。
【００６０】
Ｓ７：続いて、コミュニケーションサーバ２０の制御部１３００は、送信側クライアント端末４０から送信されたメッセージを受信していないと判別されたときには、前回メッセージを受信してから所定時間が経過したか否かを判別する。具体的には、コミュニケーションサーバ２０の制御部１３００は、送信側クライアント端末４０からのメッセージのテキストの入力が中断してから所定の時間が経過したか否かを判別する。所定の時間が経過していないと判別された場合には、Ｓ６のステップに戻り再びメッセージの受信があるか否かが判別される。
【００６１】
Ｓ８：このとき、コミュニケーションサーバ２０の制御部１３００は、前回メッセージを受信してから所定時間が経過したと判別された場合には、受信側クライアント端末５０で表示される感覚用語を消去する。例えば、前回送信側クライアント端末４０からメッセージが送信されてから１０分経過したと判別した場合には、後述する受信側クライアント端末５０の表示装置１３６０において表示されていた感覚用語を消去する。そして、Ｓ６のステップに進み、再び送信側クライアント端末４０からのメッセージのテキストの入力が行われ、コミュニケーションサーバ２０が新たなメッセージを受信した場合には新たな感覚用語が表示される。なお、このステップにおいて、送信側クライアント端末４０からのメッセージの入力が中断される時間は１０分を基準に判断したがこれに限られない。例えば、５分としてもよいし、２０分としてもよい。すなわち、１〜３０分の複数の時間の中から所定の時間をユーザーが選択することができる。
【００６２】
Ｓ９：次に、コミュニケーションサーバ２０の制御部１３００は、Ｓ６のステップにおいて、送信側クライアント端末４０から送信されたメッセージを受信したと判別したときには、入力されたメッセージのテキストデータに接続詞が含まれているか否かを判別する。判別する接続詞の種別としては、全ての単語・連語などを接続する接続詞を対象としてもよいが、逆接を示す接続詞である「しかし」「ところが」、対比を示す接続詞である「一方」「又は」、換言を示す接続詞である「つまり」「むしろ」、例示を示す接続詞である「例えば」「とくに」、新たな展開を示す接続詞である「さて」「では」「このように」「とにかく」など、特定の接続詞のみを対象とするようにしてもよい。
【００６３】
Ｓ１０：接続詞が入力されたと判別された場合には、受信側クライアント端末５０で表示される感覚用語を消去する。例えば、特定の接続詞が入力された場合には、後述する受信側クライアント端末５０の表示装置１３６０において表示されていた感覚用語を消去する。また、再び送信側クライアント端末４０からのメッセージのテキストの入力が行われ、コミュニケーションサーバ２０が新たなメッセージを受信した場合には、再び抽出された事物単語に対する新しい感覚用語が決定されるようにしてもよい。この場合には、後述する受信側クライアント端末５０の表示装置１３６０において表示されていた感覚用語がクリアされ、新たな感覚用語が表示される。
【００６４】
Ｓ１１：次に、コミュニケーションサーバ２０の制御部１３００（事物単語抽出手段２３）は、Ｓ９のステップにおいて接続詞が入力されていないと判別された場合、又は、Ｓ１０のステップにおいて受信側クライアント端末５０で表示される感覚用語が消去された場合、入力されたメッセージのテキストデータを形態素解析し、品詞に分類して事物単語を抽出する。
【００６５】
Ｓ１２：次に、コミュニケーションサーバ２０の制御部１３００（感覚用語決定手段２４）は、生成された感覚辞書ＤＢ３２に基づき、事物単語抽出手段２３により抽出された事物単語と共起の関係にある感覚用語のうち、一番共起度の高い感覚用語を決定する。
【００６６】
Ｓ１３：次に、コミュニケーションサーバ２０の制御部１３００（送信手段２５）は、通信Ｉ／Ｆ１３３０により、入力されたメッセージのテキストデータと決定された感覚用語とを受信側クライアント端末５０に送信する。
【００６７】
Ｓ１４：続いて、受信側クライアント端末５０の制御部１３００（受信手段５１）は、通信Ｉ／Ｆ１３３０により、コミュニケーションサーバ２０から送信されたテキストデータと感覚用語とを受信する。
【００６８】
Ｓ１５：次に：受信側クライアント端末５０の制御部１３００（表示手段５２）は、送信されたメッセージのテキストとともに、決定された感覚用語を受信側クライアント端末５０の表示装置１３６０に表示する。
【００６９】
［受信側クライアント端末における表示例］
図７を参照して、送信側クライアント端末４０から入力されたメッセージのテキストを受信側クライアント端末５０の表示装置１３６０において表示する表示例について説明する。図７では、送信側クライアント端末４０及び受信側クライアント端末５０を介して、ユーザーＡと、ユーザーＢとの間においてチャットによる会話が行われている。
【００７０】
ここで、ユーザーＡが送信側クライアント端末４０を用いて、「昨日○○でケーキ食べたんだよ〜」とメッセージの入力が行わている。このとき、コミュニケーションサーバ２０により、「昨日○○でケーキ食べたんだよ〜」のメッセージテキストのうち、事物単語「ケーキ」が抽出される。そして、感覚辞書ＤＢ３２に記憶されている感覚用語のうち、この事物単語「ケーキ」に対して一番共起度の高い感覚用語「あま〜い」が決定される。
【００７１】
そして、このメッセージ及び決定された感覚用語が受信側クライアント端末５０に送信されることにより、ユーザーＡが送信側クライアント端末４０を介して入力したメッセージテキストが、表示装置１３６０のチャットウィンドウ１００のテキストウィンドウ１０１に表示されるとともに、このユーザーＡが入力したメッセージテキストと関連性が高い感覚用語「あま〜い」がチャットウィンドウ１００の感覚ウィンドウ１０２に表示されている。
【００７２】
また、ユーザーＡが送信側クライアント端末４０を介して、メッセージテキスト内に接続詞を入力した場合、又は、ユーザーＡが前回送信側クライアント端末４０を介してメッセージテキストの入力を行ってから１０分経過した場合には、受信側クライアント端末５０の感覚ウィンドウ１０２において表示されていた感覚用語をクリアし、新しい感覚用語が表示される。
【００７３】
なお、便宜上送信側クライアント端末４０と、受信側クライアント端末５０とを分けて記載しているがこの限りではない。すなわち、送信側クライアント端末４０と、受信側クライアント端末５０とは、互いに同様の構成及び機能を有し、ユーザーＡと、ユーザーＢとは互いにメッセージの送信及びメッセージの受信が可能である。
【００７４】
このように、ユーザーが送信側クライアント端末４０から入力されたメッセージに含まれる事物単語に対して共起度の高い、すなわち意味合いに関連性の高い感覚用語が決定される。したがって、ユーザーが伝達しようとしている事物に対してユーザーが感じた感覚を、相手ユーザーに対し容易に伝達することができる。
【００７５】
以上、本発明の実施の形態について説明したが、本発明は本実施形態に限定されるものではなく、本発明の目的を達成できる範囲での変形、改良などは本発明に含まれるものである。
【００７６】
例えば、感覚辞書ＤＢ３２において格納されている共起度は、テキストデータ取得手段２１により取得されたテキストデータにおいて、事物単語に対応して出現する感覚用語の回数に応じて決定しているがこれに限られない。すなわち、事物単語と感覚用語との対応付け及び、事物単語とそれに対応する各感覚用語との共起度は、送信側クライアント端末４０又は、受信側クライアント端末５０を利用するユーザーが個々人の感覚に応じて共起度を変更できるようにしてもよい。これにより、更に個々人の感覚にあった感覚用語の共起度を高く、又は低くすることにより、ユーザーは自分が感じた感覚を相手ユーザに対しより明確に伝達することができるようになる。
【００７７】
また、コミュニケーションサーバ２０は、送信側クライアント端末４０を介して入力されたテキストデータと決定された感覚用語とをそれぞれ別個に受信側クライアント端末５０に送信しているがこれに限られない。例えば、送信側クライアント端末４０を介して入力されたテキストデータに決定された感覚用語を関連付けて、受信側クライアント端末５０に送信してもよい。
【００７８】
また、送信側クライアント端末４０を介して入力されたテキストデータと決定された感覚用語とを受信側クライアント端末５０のみに送信しているがこれに限られない。例えば、感覚辞書ＤＢ３２を参照して決定された感覚用語を送信側クライアント端末４０にも送信し、メッセージのテキストデータを入力したユーザーの送信側クライアント端末４０において表示することができる。これにより、ユーザーが送信側クライアント端末４０を介して入力する事物に関する事項に対して関連付けられた感覚用語が、ユーザーが感じた感覚に対応するか否かを送信側のユーザー自身が確認することができる。
【００７９】
また、コミュニケーションサーバ２０により受信されるメッセージはテキストデータであるがこれに限られない。例えば、電話機や音声チャットに用いられるパソコンなどの送信側クライアント端末から入力された音声を、ユーザーが感じている感覚を相手ユーザーが利用している電話や音声チャットに用いられるパソコンなどの受信側クライアント端末において発音することができる。その結果、ユーザーが発音した音声に対してユーザーが感じた感覚を、コミュニケーションサーバを介して受信側クライアント端末を使用する相手ユーザーに対して容易に伝達することができる。
【符号の説明】
【００８０】
１      コミュニケーションシステム
１０    ブログサーバ
１１    ブログ配信手段
２０    コミュニケーションサーバ
２１    テキストデータ取得手段
２２    感覚辞書生成手段
２３    事物単語抽出手段
２４    感覚用語決定手段
２５    送信手段
３０    事物単語ＤＢ
３１    感覚用語ＤＢ
３２    感覚辞書ＤＢ
４０    送信側クライアント端末
４１    入力手段
４２    送信手段
５０    受信側クライアント端末
５１    受信手段
５２    表示手段
【図１】
2010277193.tif 000003
【図２】
2010277193.tif 000004
【図３】
2010277193.tif 000005
【図４】
2010277193.tif 000006
【図５】
2010277193.tif 000007
【図６】
2010277193.tif 000008
【図７】
2010277193.tif 000009